(57)【要約】【課題】コスト増大させることなく、多くの機種に対応でき、エンドレスのロータリスイッチ等にも適用できる回転つまみのストッパー構造を提供する。【解決手段】回転電子部品２の回転軸２ｂに嵌着された回転つまみ３の回動範囲を規制するストッパー構造において、前記回転つまみ３の下面に下方に延びる突起３ａを設け、前記回転電子部品２を保持するベース１に前記回転軸２ｂと中心が一致する円弧状の溝１ｂを設け、前記回転軸２ｂ回りに回動自在に支持された回動部材４に、前記円弧状の溝１ｂと嵌合し張る角度の異なる円弧状の突起４ｂ、４ｃを夫々上下面に設け、前記回動部材４の周面に前記回転つまみ３の突起３ａと当接する突起４ａを設けた。【選択図】図１
2008305693.tif 000002
【特許請求の範囲】
【請求項１】
回転電子部品の回転軸に嵌着された回転つまみの回動範囲を規制するストッパー構造において、前記回転つまみの下面に下方に延びる突起を設け、前記回転電子部品を保持するベースに前記回転軸と中心が一致する円弧状の溝を設け、前記回転軸回りに回動自在に支持された回動部材に、前記円弧状の溝と嵌合し張る角度の異なる円弧状の突起を夫々上下面に設け、前記回動部材の周面に前記回転つまみの突起と当接する突起を設けた回転つまみのストッパー構造。
【請求項２】
回転電子部品の回転軸に嵌着された回転つまみの回動範囲を規制するストッパー構造において、前記回転つまみの下面に下方に延びる突起を設け、前記回転電子部品を保持するベースに前記回転軸と中心が一致し半径の異なる２つの円弧状の溝を設け、前記回転軸回りに回動自在に支持された回動部材に、前記円弧状の溝と夫々嵌合する円弧状の突起を上下面に設け、前記ベースの２つの円弧状の溝の組みと回動部材の円弧状の突起の組みとの少なくとも一方において張る角度を異ならせると共に、前記回動部材の周面に前記回転つまみの突起と当接する突起を設けた回転つまみのストッパー構造。
【請求項３】
回転電子部品の回転軸に嵌着された回転つまみの回動範囲を規制するストッパー構造において、前記回転つまみの下面に下方に延びる突起を設け、前記回転電子部品を保持するベースに前記回転軸と中心が一致し深さが２段階に変化する円弧状の溝を設け、前記回転軸回りに回動自在に支持された回動部材に前記円弧状の溝に嵌合し前記溝の２段の深さと対応する高さを有する円弧状の突起を夫々上下面に設けると共に、周面に前記回転つまみの突起と当接する突起を設けた回転つまみのストッパー構造。
【請求項４】
前記回動部材は前記回転電子部品の回転軸を回転自在に保持する軸受けの外周に設けられたねじと螺合するナットの外周部に設けられたフランジで前記回転軸方向の動きが規制される請求項１から３のいずれかに記載された回転つまみのストッパー構造。
【請求項５】
前記ナットにより前記回転電子部品が前記ベースに締着される請求項１から４のいずれかに記載した回転つまみのストッパー構造。
【発明の詳細な説明】
【技術分野】
【０００１】
この発明は回転つまみに係わり、特に、そのストッパー構造に関する。
【背景技術】
【０００２】
従来、業務用ポータブル無線機等でｃｈ（チャンネル）を選択する場合は、必要なｃｈ数を選択できるデバイス（ロータリエンコーダスイッチ）を用いていた。この場合は、デバイスの回転軸の回動範囲はデバイス自体で所定の範囲に規制されており、その回動範囲でそのデバイスを用いた機種の選択できるｃｈ数が決定される。
【０００３】
特願２００４−３４５１７２（特開２０００６−１５６１３８号公報）に提案されているものは、エンドレスに回転する回転電子部品（ロータリエンコーダ）が用いられ、この回転軸に回動可能のストッパを取付けて回転軸の回動範囲を規制する。そしてこのストッパにより回転軸の回動範囲が決定される。
【特許文献１】特開２０００６−１５６１３８号公報、段落００１６〜段落００２７、図１、図２
【発明の開示】
【発明が解決しようとする課題】
【０００４】
現在の業務用のポータブル無線機の市場では、チャンネル数が２ｃｈ、４ｃｈ、８ｃｈ、１６ｃｈ等の多くの機種が販売されている。そのため、ｃｈ数の異なる多くの機種を生産する必要がある。
【０００５】
また、回転電子部品のつまみの目盛表示で決定される回動位置と選択するチャンネルとを対応させのではなく、つまみの所定回転毎にカウントをアップまたはダウンさせてチャンネルを選択するものでは、２５０ｃｈもの多くのチャンネルを選択するものもある。このような回転電子部品ではつまみの一周に全てのｃｈを割り当てることは困難であり、エンドレスのロータリスイッチ等が用いられる。
【０００６】
上記したデバイスの回転軸の回動範囲がデバイス自体で所定の範囲に規制されているものを用いる場合、使用できるｃｈ数が固定されて変更できないため多くの機種を製造して使用者のニーズに応じなければならない。このため在庫の数が増えてコスト増大の要因となっていた。また、デバイスの回転軸の回動範囲が３６０°に限定されており、選択できるｃｈ数も限定される。
【０００７】
在庫数を減すために完成品を分解して、ｃｈ数の異なるデバイスと交換して需要に対応することもできるが、多くの機種はデバイスが無線機の奥の方に配置されており、交換の工数が大きくなり、やはりコスト増大の要因となっていた。
【０００８】
特開２０００６−１５６１３８号公報に提案されたものは、回動可能のストッパを用いていおり、デバイスの回転軸の回動範囲を３６０°以上とすることもできるが、使用する回動可能のストッパにより回転軸の回動範囲が決定されるために、完成品のｃｈを変更するためには回動可能のストッパを交換しなければならず、やはり、部品の在庫を増やさなければならずコスト増大の要因となっていた。
【０００９】
この発明は上記した点に鑑みてなされたものであって、その目的とするところは、コスト増大させることなく、多くの機種に対応でき、エンドレスのロータリスイッチ等にも適用できる回転つまみのストッパー構造を提供することにある。
【課題を解決するための手段】
【００１０】
この発明の回転つまみのストッパー構造は、回転電子部品の回転軸に嵌着された回転つまみの回動範囲を規制するストッパー構造において、前記回転つまみの下面に下方に延びる突起を設け、前記回転電子部品を保持するベースに前記回転軸と中心が一致する円弧状の溝を設け、前記回転軸回りに回動自在に支持された回動部材に、前記円弧状の溝と嵌合し張る角度の異なる円弧状の突起を夫々上下面に設け、前記回動部材の周面に前記回転つまみの突起と当接する突起を設けたものである。
【００１１】
また、この発明の回転つまみのストッパー構造は、回転電子部品の回転軸に嵌着された回転つまみの回動範囲を規制するストッパー構造において、前記回転つまみの下面に下方に延びる突起を設け、前記回転電子部品を保持するベースに前記回転軸と中心が一致し半径の異なる２つの円弧状の溝を設け、前記回転軸回りに回動自在に支持された回動部材に、前記円弧状の溝と夫々嵌合する円弧状の突起を上下面に設け、前記ベースの２つの円弧状の溝の組みと回動部材の円弧状の突起の組みとの少なくとも一方において張る角度を異ならせると共に、前記回動部材の周面に前記回転つまみの突起と当接する突起を設けたものである。
【００１２】
また、この発明の回転つまみのストッパー構造は、回転電子部品の回転軸に嵌着された回転つまみの回動範囲を規制するストッパー構造において、前記回転つまみの下面に下方に延びる突起を設け、前記回転電子部品を保持するベースに前記回転軸と中心が一致し深さが２段階に変化する円弧状の溝を設け、前記回転軸回りに回動自在に支持された回動部材に前記円弧状の溝に嵌合し前記溝の２段の深さと対応する高さを有する円弧状の突起を夫々上下面に設けると共に、周面に前記回転つまみの突起と当接する突起を設けたものである。
【００１３】
また、前記各回転つまみのストッパー構造において、前記回動部材は前記回転電子部品の回転軸を回転自在に保持する軸受けの外周に設けられたねじと螺合するナットの外周部に設けられたフランジで前記回転軸方向の動きが規制されるものである。
【００１４】
また、前記各回転つまみのストッパー構造において、前記ナットにより前記回転電子部品が前記ベースに締着される締着されるものである。
【発明の効果】
【００１５】
この発明の回転つまみのストッパー構造によれば、エンドレスの回転電子部品が利用でき、部品を別のものに取り替えることなく、１つの部品の取付け姿勢を変えるだけで、回転電子部品の回転軸の回動範囲を変えることができる。そして、１つの部品で規制できる回動範囲の組み合わせを適切に設定することにより多くのニーズに対応することかせ可能となる。
【発明を実施するための最良の形態】
【００１６】
以下この発明を実施するための最良の形態を実施例に即して説明する。図１はこの発明の実施例である回転つまみの回動範囲を規制するストッパー構造を示す分解斜視図、図２は同回転つまみの回動範囲を規制するストッパー構造を示す斜視図である。
【００１７】
図１または図２に示すベース１には穴１ａと穴１ａと同軸の円弧状溝１ｂが設けられている。エンドレスのロータリエンコーダ２の軸受２ａは回転軸２ｂを回転可能に支持し、外周にねじ溝が切られている。回転軸２ｂには回転つまみ３が回転方向位置決め状態に嵌着される。回転つまみ３の下面には円弧状の突起３ａが下方に延びている。
【００１８】
回動部材４は図３および図４にも詳しく示されている。すなわち、図３は回動部材４を示す斜視図、図４は同回動部材４を裏返して示す斜視図である。図に示すように、回動部材４は断面長方形のリングの周面に周面突起４ａが設けられ、図３における上面に円弧状の上突起４ｂが形成され、下面に円弧状の下突起４ｃが形成されている。
【００１９】
上突起４ｂおよび下突起４ｃはいずれも上記円弧状溝１ｂと嵌合可能であり、夫々の円弧が張る角度は円弧状溝１ｂが最も大きく、上突起４ｂ、下突起４ｃの順に小さくなっている。
【００２０】
ナット５の中心の捩子穴は上記軸受２ａのねじ溝と螺合し、ナット５の中央の周面にはフランジ５ａが形成されている。ナット５のフランジ５ａに対して上下の円筒部の外径は回動部材４の内径より僅かに小さく、高さは回動部材４の断面長方形のリングの高さより僅かに高い。
【００２１】
上記各部材は図１に示すように配置されて、ロータリエンコーダ２の軸受２ａがベース１の穴１ａに挿通し、ベース１の上に回動部材４がベース１の上に載置される。このとき回動部材４の下突起４ｃおよび上突起４ｂのいずれかがベース１の円弧状溝１ｂと嵌合状態となる。
【００２２】
そして、ナット５をロータリエンコーダ２の軸受２ａのねじ溝にねじ込むと、ロータリエンコーダ２はベース１に締着され、回動部材４はベース１とナット５に回動自在に支持される。さらに、ロータリエンコーダ２の回転軸２ｂに回転つまみ３が嵌着されて完成状態となる。この状態が図２に示されている。
【００２３】
次に、上記のように組み付けられた回転つまみの回動範囲を規制するストッパー構造の作用を説明する。先ず、回動部材４は図３に示す姿勢で組み付けられているものとする。この状態において回動部材４の下突起４ｃがベース１の円弧状溝１ｂに嵌合している。
【００２４】
回転つまみ３を上から見て反時計方向に回動すると、回転つまみ３の突起３ａが回動部材４の周面突起４ａと当接し、回動部材４の下突起４ｃの端面がベース１の円弧状溝１ｂの端面し当接するようになり、回転つまみ３の反時計方向の回動が規制された状態となる。この状態が図２に示されている。
【００２５】
図２に示す状態から回転つまみ３を上から見て時計方向に回動させると、回転つまみ３の突起３ａが回動部材４の周面突起４ａから離れ周面突起４ａの反対側の突起に当接するまで回転つまみ３は回動部材４を回動させることなく回動する。このときの回動角をθとする。
【００２６】
さらに回転つまみ３を上から見て時計方向に回動させると、回転つまみ３の突起３ａが回動部材４の周面突起４ａと当接状態となり、回転つまみ３は回動部材４を回動させながら回動し、回動部材４の下突起４ｃの端面がベース１の円弧状溝１ｂの端面し当接するようになり、回転つまみ３の時計方向の回動が規制された状態となる。
【００２７】
このときの回動角は円弧状溝１ｂおよび回動部材４の下突起４ｃが夫々張る角度の差であり、この角度をαとする。図２に示す状態では回転つまみ３の回動可能角はθ＋αである。回動部材４を裏返して回動部材４の上突起４ｂの端面がベース１の円弧状溝１ｂに嵌合する状態では、円弧状溝１ｂおよび回動部材４の下突起４ｃが夫々張る角度の差をβとして、回転つまみ３の回動可能角はθ＋βとなる。
【００２８】
このように、ナット５を外して回動部材４を裏返して組み付ける簡単な動作で、余分に部品を準備することなく回転つまみ３の回動角を２通りに変えることができる。また、回転つまみ３の回動角を３６０°以上に設定することもできる。そして、Ｎ種類の回転つまみを準備すれば、回転つまみの回動可能角を２Ｎ通りに変えることができる。
【００２９】
実施例は以上のように構成されているが発明はこれに限られず、例えば、回転電子部品を保持するベースに回転電子部品の回転軸と中心が一致し半径の異なる２つの円弧状の溝を設け、前記回転軸回りに回動自在に支持された回動部材に、前記円弧状の溝と夫々嵌合する円弧状の突起を上下面に設け、前記ベースの２つの円弧状の溝の組みと、回動部材の円弧状の突起の組みとの少なくとも一方において張る角度を異ならせ、回転つまみの下面から下方に延びる突起と回動部材の周面に設けた回転つまみの突起とを当接させる構造としても、回動部材を裏返して組み付ける簡単な動作で回転つまみの回動角を２通りに変えることができてこの発明の効果が得られる。
【００３０】
また、回転電子部品を保持するベースに回転電子部品の回転軸と中心が一致し深さが２段階に変化する円弧状の溝を設け、前記回転軸回りに回動自在に支持された回動部材に、前記円弧状の溝に嵌合する前記溝の２段の深さと対応する高さを有する円弧状の突起を夫々上下面に設け、回転つまみの下面から下方に延びる突起と回動部材の周面に設けた回転つまみの突起とを当接させる構造としても、回動部材を裏返して組み付ける簡単な動作で回転つまみの回動角を２通りに変えることができてこの発明の効果が得られる。
【図面の簡単な説明】
【００３１】
【図１】この発明の実施例である回転つまみの回動範囲を規制するストッパー構造を示す分解斜視図である。
【図２】同回転つまみの回動範囲を規制するストッパー構造を示す斜視図である。
【図３】同回転つまみの回動範囲を規制するストッパー構造に用いられる部材を示す斜視図である。
【図４】同部材を裏返して示す斜視図である。
【符号の説明】
【００３２】
１  ベース、１ａ  穴、１ｂ  円弧状溝
２  ロータリエンコーダ、２ａ  軸受、２ｂ  回転軸
３  回転つまみ、３ａ  突起
４  回動部材、４ａ  周面突起、４ｂ  上突起、４ｃ  下突起
５  ナット、５ａ  フランジ
【図１】
2008305693.tif 000003
【図２】
2008305693.tif 000004
【図３】
2008305693.tif 000005
【図４】
2008305693.tif 000006